(57)【特許請求の範囲】
【請求項１】
先端に設けた印判（１）とロック部（７）を設けた上方把握部（１３）と前記印判（１）と対向する位置を印台（２１）とした下方把握部（１４）を軸（１８）により弾性部材（１９）を介し弾発枢着した捺印具において、上方把握部（１３）の内部に印判（１）を着脱自在に嵌着保持した印判ホルダー（３）を弾発部材（５）により上下動自在に弾発支持し、印判（１）と軸（１８）の間にスライド可動するロック部（７）を設け、該ロック部（７）には、印判ホルダー（３）と当接し上下動をロックする上下動係止片（８）、下方把握部（１４）に設けたフック部（１６）を係止し上方把握部（１３）と下方把握部（１４）の挟着動作をロックする挟着動係止片（９）、作用部（１０）を設けたことを特徴とする捺印具。
【請求項２】
ロック部（７）のスライド方向と同方向に対して、ロック部（７）の左右両側面に設けられた突起（１１）が上方把握部（１３）の内部に設けられたスライド溝（１２）に、更に、ロック部（７）の下面が上方把握部（１３）の誘導面（２４）に導かれ、ロック部（７）の挟着動係止片（９）を逆Ｔ字型とし、前記挟着動係止片（９）が係合するフック部（１６）の上部に溝（２０）を設けて、前記フック部（１６）をコ字状とした請求項１に記載の捺印具。
【請求項３】
ロック部（７Ａ）のスライド方向と同方向に対して、ロック部（７Ａ）の左右両側面に設けられた突起（１１）が上方把握部（１３）の内部に設けられたスライド溝（１２）に、更に、ロック部（７Ａ）の下面が上方把握部（１３）の誘導面（２４）に導かれ、ロック部（７Ａ）の挟着動係止片（９Ａ）を板状とし、更にロック部（７Ａ）には円柱状の印判ホルダー（３Ａ）の上下動をロックする先端を一部切り欠いた円状とした上下動係止片（８Ａ）を設け、前記挟着動係止片（９Ａ）が係止されるフック部（１６Ａ）をロ字状とした請求項１に記載の捺印具。
【請求項４】
ロック部（７Ｂ）は、ロック部の印判側及び軸側を結ぶ方向と垂直方向にスライド可能で、ロック部（７Ｂ）の印判側及び軸側を結ぶ方向と同方向に設けられた突起（１１）が上方把握部（１３）の内部に設けられたスライド溝（１２）に、更に、ロック部（７Ｂ）の下面が上方把握部（１３）の誘導面（２４）に導かれ、ロック部（７Ｂ）の挟着動係止片（９Ｂ）を板状とし、更にロック部（７Ｂ）には印判ホルダー（３）の上下動をロックする先端を板状とした上下動係止片（８Ｂ）を設けて、前記挟着動係止片（９Ｂ）が係止されるフック部（１６Ｂ）を板状とした請求項１に記載の捺印具。
【発明の詳細な説明】
【０００１】
【産業上の利用分野】
本発明は、上方把握部と下方把握部を有し、お互いを挟動可能に枢着し、上方把握部の先端に下方把握部の印台に相対する印面を有し、弾発支持された印判を設けた捺印具に関するものである。
【０００２】
【従来の技術】
従来より挟着動作を利用した捺印具には、（イ）実公昭５３−６５００号（以上（イ））、（ロ）実公昭５６−９５６３号（以下（ロ））が存在する。
（イ）は、上方把握部と下方把握部が軸により枢着されており、該両者の間には、上方把握部の先端に取り付けられた印判の印面と下方把握部に設けられたフラットな印台とがある程度間隔を取れるようにバネが介在した構成であり、この印判を携帯時、及び、不使用時に誤って上方・下方把握部を把握した場合、被捺印物以外の物に印面が接触して汚したり、印面が印台に押圧され印台を汚し、次に使用する時には捺印物をも汚してしまう結果となる。こうした課題の解決に（ロ）が考案された。
（ロ）は、Π字状のストッパーを用いて、上方把握部と下方把握部の挟着動作と板バネで保持された印判の下方への動きを防止して印台の汚れ及び携帯時の不用意な挟着動作を防止している。しかしながら、Π字状のストッパーは、上方把握部にスライド可能に完全に露呈されているため、ポケット等に携帯するとストッパーに不用意に触ってしまい容易にストッパーの働きを解除してしまう。また、直接印判の近くを固定していないので、印判を確実には固定できるとは言いがたい。従って、十分なストッパー（ロック）機構ではなく、印台及び捺印物以外のものをも汚す結果となる。また、該構成は、本願とは明らかに異なるものである。
【０００３】
【発明が解決しようとする問題点】
本発明が解決しようとするところは前述のような（（１）印台を汚す。（２）携帯時に不用意にロックが解除され、上方把握部と下方把握部を開き、印面の覆が無くなり、捺印物等を汚す。）課題を解決して、確実に不使用時に簡単にロックの解除が出来ない挟動式の携帯用の捺印具を提供しようとするところにある。
【０００４】
【問題点を解決するための手段】
先端に設けた印判１とロック部７を設けた上方把握部１３と前記印判１と対向する位置を印台２１とした下方把握部１４を軸１８により弾性部材１９を介し弾発枢着した捺印具において、上方把握部１３の内部に印判１を着脱自在に嵌着保持した印判ホルダー３を弾発部材５により上下動自在に弾発支持し、印判１と軸１８の間にスライド可動するロック部７を設け、該ロック部７には、印判ホルダー３と当接し上下動をロックする上下動係止片８、下方把握部１４に設けたフック部１６を係止し上方把握部１３と下方把握部１４の挟着動作をロックする挟着動係止片９、作用部１０を設けたことを特徴とする捺印具である。
【０００５】
【作用】
本発明実施例１の捺印具の使用方法について、上方把握部１３と下方把握部１４の間に捺印物Ｈを挿入し、上方把握部１３及び下方把握部１４を挟着させるとともに、親指等で上方把握部１３の上面より突出した押圧カバ−４を押圧する。すると、印判１全体は弾性部材５により上方に弾発支持されているから、該弾性力に抗して下方に移動し、上方把握部１３の下端より印面２３を露呈し、挟着された上方把握部１３・下方把握部１４の下端面に捺印物Ｈが挟着されているので、捺印物に対して印面２３が当接し捺印可能となる。
次に、使用後は本発明捺印具を携帯、及び、収納するために、ロック部７に設けられた突起１１が上方把握部１３の内壁面に設けられたスライド溝１２に更に、ロック部７の下面が上方把握部１３の誘導面２４に当接支持され、上方把握部１３の上面より突出した作用部１０を前方（印判側）にスライド移動すると、スライド溝１２に誘導されロック部７全体が前方（印判側）に移動する。この時、上方把握部１３の下面と下方把握部１４の上面は、当接され、閉じている状態である。すると下方把握部１４に立設されたフック部１６に挟着動係止片９が挿入され、挟着動作を係合するとともに、ロック部７の前方に設けられた上下動係止片８は、印判ホルダー３の側面に設けられた係止棚２２の下方に位置し前記係止棚２２の下面と当接し、印判１全体の下方への移動を防止する。また、上記の様に印判１の印面２３が上方把握部１３の下面より上方に位置しているから上記ロック状態になったときでも印台２１に印面２３が当接することはない。
【０００６】
次に、本発明実施例２の捺印具について、印判１の使用後は、ロック部７Ａに設けられた突起１１が上方把握部１３の内壁面に設けられたスライド溝１２に更に、ロック部７Ａの下面が上方把握部１３の誘導面２４に当接支持され、上方把握部１３の上面より突出した作用部１０を後方（軸側）にスライド移動すると、スライド溝１２に誘導されロック部７Ａ全体が後方（軸側）に移動する。この時、上方把握部１３の下面と下方把握部の上面は、当接され、閉じている状態である。すると下方把握部１４に立設されたロ字状のフック部１６Ａに、板状の狭着動係止片９Ａが挿入され、狭着動作を係止するとともに、ロック部７Ａの前方に設けたれた円状の一部を切り欠いた上下動係止片８Ａは、円柱状の印判ホルダー３Ａの外面に設けられた係止棚２２Ａの下方に位置し前記係止棚２２Ａの下面と当接し、印判１全体の下方への移動を防止する。再び、本実施例２の捺印具を使用するには、上記ロック部７Ａを前方（印判側）にスライド移動させ、円柱状の印判ホルダー３Ａの同心円位置に位置させ、印判１を上下動自由にしている。
最後に、本発明実施例３の捺印具について、使用後は、ロック部７Ｂの前後に設けられた突起１１が上方把握部１３の内部の前後に設けられたスライド溝１２Ｂ更に、ロック部７Ｂの下面が上方把握部１３の誘導面２４に当接支持され上方把握部１３の上面より突出した作用部１０を左右どちらかの側にスライド移動すると、スライド溝１２Ｂに誘導されロック部７Ｂ全体が左右（ロック部の印判側及び軸側を結ぶ方向と垂直方向）どちらかの側に移動する。
【０００７】
この時、上方把握部１３の下面と下方把握部１４の上面は、当接され閉じている状態である。すると、下方把握部１４の内部に設けられた板状のフック部１６Ｂに板状の挟着動係止片９Ａが当接され挟着動作を係止するとともに、ロック部７Ｂの前方に設けられた板状の上下動係止片８Ｂは、印判ホルダー３の外面に設けられた係止棚２２Ｂの下方に位置し、前記係止棚２２Ｂの下面と当接し、印判１全体の下方への移動を防止する。
再び、本実施例３の捺印具を使用するには、上記ロック部７Ｂを横にスライド移動させればフック部１６Ｂに板状の挟着動係止片９Ａの当接と、上下動係止片８Ｂと係止棚２２Ｂの当接が解除される。
【０００８】
【実施例】
本発明の実施例１を図１、図２、図３、図４、図５、図６より、詳細に説明する。
１は、印判であり、下面に連続多孔体の印面を有する印判カートリッジ部２と押圧カバー４とから成る。
３は、印判ホルダーであり、印判１と着脱自在に嵌着しており弾性部材５により上方に弾発支持されている。また、前記印判ホルダー３の側面には、係止棚６が設けられている。７は、ロック部であり、上下動係止片８、挟着動係止片９、作用部１０より構成されている。また、前記ロック部７の左右両側に設けられた突起１１は、上方把握部１３の内壁に設けられたスライド溝１２に更に、ロック部７の下面が上方把握部１３の誘導面２４に導かれ支持されている。また、挟着動係止片９は、上方把握部１３の内部に位置している。
１３は、上方把握部であり、内壁面にスライド溝１２と前記ロック部７の作用部１０が露呈する窓１５と印判１を組み込み押圧カバー４を露呈する孔２５が設けている。
【０００９】
１４は、下方把握部であり、逆Ｔ字型の挟着動係止片９と係合する位置に上部に溝２０を設けたコ字状のフック部１６を立設している。また、印面に相対する位置はフラットな印台を設けている。前記上方把握部１３と下方把握部１４は軸１８により枢着されており、弾性部材１９により、前記上方把握部１３と前記下方把握部１４が、開く方向に弾発支持されている。
本発明の実施例１の使用方法について述べる。印判使用時には、作用部１０が、上方把握部１３に設けられた窓１５の後端に位置し、フック部１６の溝２０間に挟着動係止片９は位置せず、フック部１６に挟着動係止片９は、挿入されず、上方把握部１３と下方把握部１４は開いたままとなっている。また、ロック部１６に設けられた上下動係止片８は、印判ホルダー３の側面に設けられた係止棚の下方に位置せず、印判１の上下動を自由にしている。
【００１０】
次に、上方把握部１３と下方把握部１４の間に捺印物を挿入し、上方把握部１３と下方把握部１４を挟着しながら、上方把握部１３の上端面より突出している印判１の押圧カバー４を下方に押圧するすると弾性部材５の弾発力に抗して印判１自体が下方に移動し、上方把握部１３の下端面より印面を露呈し被捺印部に当接捺印する。 捺印が終われば、上方把握部１３と下方把握部１４の把握力を解除するとともに、印判本体３への押圧力をも解除し、印面を上方把握部１３の下端面より上方に位置し、上方把握部１３内に収納さている。
次に、不使用時には、上方把握部１３と下方把握部１４を挟着し、上方把握部１３の下面と下方把握部１４の上面とが当接する。更に、上方把握部１３の窓１５より露呈しているロック部７の作用部１０を前方にスライドさせる。すると、フック部１６に挟着動係止片９が挿入され、係合される。同時に、上下動係止片８は、前記の状態で係止棚６の下方に位置し、係止棚６の下面と当接し、印判１の下方への移動を阻止している。
こうして、印判１の下方への移動と、上方把握部１３と下方把握部１４の開きを阻止し、印面を完全に覆い隠し、被捺印物への印面の当接を完全に防ぎ、作用部１０だけが上方把握部１３の上面に位置しており、フック部１６と挟着動係止片９が係合されているから不用意にロック部７に触れても簡単にロック解除が出来ないばかりか、印台をも印面で汚すことはなく、捺印物も汚さない。
【００１１】
再び使用するときには、作用部１０を軸１８方向（後方）にスライドさせるとフック部１６と挟着動係止片９の係合を解除する。
すると、印判１の上下運動及び上方把握部１３と下方把握部１４の挟着運動を可能にする。
本発明の実施例２について、図７、図８より詳細に説明する。
７Ａは、ロック部であり、前方に設けられた円状の一部を切り欠いた上下動係止片８Ａと、後方を板状の狭着動係止片９Ａ、及び作用部１０より構成されている。前記上下動係止片８Ａは、印判使用可能時には、円柱状の印判ホルダー３Ａの外周より外側にしかも同心円状に位置しているので、印判ホルダー３Ａの係止棚２２の下面に当接せず、印判１の上下動を自由にしている。
１６Ａは、ロ字状のフック部であり、下方把握部１４より立設されている。本実施例２の印判を使用するには、上記の様に、ロック部７Ａの作用部１０を窓１５の前方端に位置し円柱状の印判ホルダー３Ａの外周より外側にしかも同心円状に位置しているので、印判ホルダー３Ａの係止棚２２の下面に当接せず、印判の上下動を可能とし、ロ字状のフック部１６Ａの間に狭着動係止片９Ａは、位置せず上方把握部１３と下方把握部１４の狭着動作を可能にし、捺印可能としている。
【００１２】
捺印後は、弾性部材１９の弾発力に抗して上方把握部１３下面と下方把握部１４の上面を当接させロック部７Ａの作用部１０を窓１５の後方端に位置させると、先端が円状の上下動係止片８Ａと、円柱状の印判ホルダー３Ａの中心位置がずれ、同心円状とはならず、印判ホルダー３Ａの係止棚２２の下面に位置し、印判１の上下動を係止すとともに、ロ字状のフック部１６Ａの間に、狭着動係止片９Ａが挿入され、上方把握部１３と下方把握部１４の狭着動を係止する。
再度、本実施例２の印判を使用するには、ロック部７Ａの作用部１０を窓１５の前方端に位置させ捺印可能となる。
本発明の実施例３について図９、図１０、図１１、図１２より詳細に説明する。
７Ｂは、ロック部であり、後端を板状の狭着動係止片９Ｂと先端を板状の上下動係止片８Ｂとしており、上方把握１３に設けられた窓１５より露呈した作用部１０よりなっている。
【００１３】
更に、ロック部７Ｂの前後（ロック部の印判側及び軸側を結ぶ方向）に設けられた突起１１が、上方把握部１３の内部の前後に設けられたスライド溝１２Ｂ、更に、ロック部７Ｂの下面が上方把握部１３の誘導面２４に当接支持されている。
１６Ｂは、板状のフック部であり、下方把握部１４の左右（ロック部の印判側及び軸側を結ぶ方向と垂直方向）内部の壁面どちらかに設けられている。２２Ｂは、印判ホルダー３に設けられた係止棚であり、前記板状のフック部１６Ｂが左側に設けられていれば右側と逆に設けられている。
本実施例３を使用するには、まず使用後は、ロック部７Ｂの前後に設けられた突起１１が上方把握部１３の内部の前後に設けられたスライド溝１２Ｂ更に、ロック部７Ｂの下面が上方把握部１３の誘導面２４に当接支持され、上方把握部１３の上面より突出した作用部１０左右（ロック部の印判側及び軸側を結ぶ方向と垂直方向）どちらかの側にスライド移動すると、スライド溝１２Ｂに誘導されロック部７Ｂ全体が左右どちらかの側に移動する。
この時、上方把握部１３の下面と下方把握部１４の上面は、当接され閉じている状態である。
すると、下方把握部１４の内部に設けられた板状のフック部１６Ｂに板状の狭着動係止片９Ａが当接され狭着動作を阻止するとともに、ロック部７Ｂの前方に設けられた板状の上下動係止片８Ｂは、印判ホルダー３の外面に設けられた係止棚２２Ｂの下方に位置し、前記係止棚２２Ｂの下面と当接し、印判１全体の下方への移動を防止する。
【００１４】
再び、本実施例３の捺印具を使用するには、上記ロック部７Ｂを横にスライド移動させればフック部１６Ｂに板状の狭着動係止片９Ａの当接と、上下動係止片８Ｂと係止棚２２Ｂの当接が解除される。
【００１５】
【効果】
本発明は、以上の構成であるので次の効果がえられる。
（１）ロック部７が、ロック状態の時（印判が不使用の時）、上下動係止片８は、係止棚２２に当接し、挟着動係止片９とフック部１６が係止され、不用意にロック部７及び印判本体３に触れても上方把握部１３と下方把握部１４の開きと印判１の下降を防止しているので、ポケット等の携帯に衣服やその他捺印物を汚すことはない。
（２）スライド移動するロック部７に挟着動係止片９と上下動係止片８を設け、同時に挟着動作と印判１の上下運動を係止しているので、これをスライド移動することにより一度に解除する事が出来る。
（３）印面は上方把握部１３の下面より上方に位置しているのでこの位置でロック部７は、上方把握部１３と下方把握部１４の開きのロックとともに印判１の上下運動を確実に防止するので印面で印台を汚すことはない。更には、印台も汚れないので捺印物を汚すことはない。
【００１６】
【図面の簡単な説明】
【図１】本発明の第１の実施例のロック部係止状態の断面図
【図２】本発明の第１の実施例のロック部係止状態の平面図
【図３】本発明の第１の実施例のロック部解除状態の断面図
【図４】本発明の第１の実施例のロック部解除状態の平面図
【図５】本発明の第１の実施例のフック部と挟着動係止片の係止状態の説明図
【図６】本発明の第１の実施例のフック部と挟着動係止片の解除状態の説明図
【図７】本発明の第２の実施例の上下動係止片の解除状態の説明図（破線は、上下動係止片の係止状態）
【図８】本発明の第２の実施例のフック部と挟着動係止片の解除状態の説明図
【図９】本発明の第３の実施例のロック部解除状態のＨＨ断面図
【図１０】本発明の第３の実施例のロック部解除状態の平面図
【図１１】本発明の第３の実施例の上下動係止片の解除状態の説明図（破線は、上下動係止片の係止状態）
【図１２】本発明の第３の実施例のフック部と挟着動係止片の解除状態の説明図（破線は、フック部と挟着動係止片の係止状態）
【００１７】
【符号の説明】
１ 印判
２ 印判カートリッジ
３ 印判ホルダー
４ 押圧カバー
５ 弾性部材
７ ロック部
８ 上下動係止片
９ 挟着動係止片
１０ 作用部
１３ 上方把握部
１４ 下方把握部
１５ 窓
１６ フック部
１８ 軸
１９ 弾性部材
２０ 溝
２１ 印台
２２ 係止棚
【図１】
0003576198.tif 000002
【図２】
0003576198.tif 000003
【図３】
0003576198.tif 000004
【図４】
0003576198.tif 000005
【図５】
0003576198.tif 000006
【図６】
0003576198.tif 000007
【図７】
0003576198.tif 000008
【図８】
0003576198.tif 000009
【図９】
0003576198.tif 000010
【図１０】
0003576198.tif 000011
【図１１】
0003576198.tif 000012
【図１２】
0003576198.tif 000013